(57)【要約】      （修正有）【課題】アノード電圧供給用の端子を安全に取り外しでき、取り外し作業を容易に行なえて、取り外し作業の効率をアップし感電の危険を防ぐことができる。【解決手段】ＣＲＴ１０に吸着したアノードキャップ７の内部下側に突出し、ＣＲＴ１０に穿設した穴部に嵌め込んだ２本のアノード電圧供給用の端子８をグランドワイヤーまで短絡させその後にアノードキャップ７をアノード電圧供給用の端子８ごとＣＲＴ１０の穴部から取り外すもので、把手部１がゴムクリップ２で覆われ、把手部１から前方に向けて平板状部３が延設され、その先端に二股状の差込み部４が延設されて差込み部４は内側縁が先端側に向けて外向きに傾斜して開くテーパーガイド縁５ａに形成された二股状の左右両片５と左右両片５の根元部に設けられテーパーガイド縁５ａの基部に連設されて左右外向きに凹設された端子係入溝６ａを有する端子保持部６とで形成されている。【選択図】図１
2004265810.tif 000002
【特許請求の範囲】
【請求項１】
ＣＲＴに吸着されたアノードキャップの内部下側に突出され、ＣＲＴに穿設された穴部に嵌め込まれた２本のアノード電圧供給用の端子をグランドワイヤーまで短絡させて、その後にこのアノードキャップを前記アノード電圧供給用の端子ごと前記ＣＲＴの穴部から取り外すようにしたアノードキャップ取り外し用工具であって、把手部がゴムクリップで覆われ、この把手部から前方に向けて平板状部が延設され、その先端に二股状の差込み部が延設されていて、前記差込み部は、内側縁が先端側に向けて外向きに傾斜して開くテーパーガイド縁に形成された二股状の左右両片と、この左右両片の根元部に設けられ前記テーパーガイド縁の基部に連設されて左右外向きに凹設された端子係入溝を有する端子保持部とで形成されていることを特徴とするアノードキャップ取り外し工具。
【請求項２】
ＣＲＴに吸着されたアノードキャップの内部下側に突出され、ＣＲＴに穿設された穴部に嵌め込まれた２本のアノード電圧供給用の端子をグランドワイヤーまで短絡させて、その後にこのアノードキャップを前記アノード電圧供給用の端子ごと前記ＣＲＴの穴部から取り外すようにしたアノードキャップ取り外し用工具であって、把手部の先端に二股状の差込み部が延設されていて、前記差込み部は、内側縁が先端側に向けて外向きに傾斜して開くテーパーガイド縁に形成された二股状の左右両片と、この左右両片の根元部に設けられ前記テーパーガイド縁の基部に連設されて左右外向きに凹設された端子係入溝を有する端子保持部とで形成されていることを特徴とするアノードキャップ取り外し工具。
【請求項３】
前記端子保持部の端子係入溝は、前記端子が入り込んで前記テーパーガイド縁側に抜けないように先端側に向けて若干食い込んだ平面視円弧状溝に形成されていることを特徴とする請求項１に記載のアノードキャップ取り外し工具。
【請求項４】
前記端子保持部の端子係入溝の左右中間部分の溝縁から前方向き且つ上向きに突設され左右両端子の間隙に入り込んで両端子を縦向きに保持するための断面略台形状の縦向き保持部が設けられていることを特徴とする請求項２又は３に記載のアノードキャップ取り外し工具。
【請求項５】
前記縦向き保持部の先端面が下側から斜め上向きに傾斜する端子ガイド用テーパー面に形成されていることを特徴とする請求項４に記載のアノードキャップ取り外し工具。
【発明の詳細な説明】
【０００１】
【発明の属する技術分野】
本発明は、ＣＲＴに吸着されたアノードキャップの内部のアノード電圧供給用の端子の短絡およびアノードキャップの取り外しを行なうためのアノードキャップ取り外し工具に関する。
【０００２】
【従来の技術】
従来のＣＲＴのアノードキャップ取り外し構造は、例えば、ＣＲＴに設けられた穴部に嵌め入れられたアノード電圧供給用の２本の端子を放電するために、このアノード電圧供給用の２本の端子を覆いＣＲＴの表面に吸着されているアノードキャップの端部に放電棒の先端を差し入れてアノード電圧供給用の端子に接触させて放電した後に、素手でアノードキャップをＣＲＴの表面から外すとともにＣＲＴの穴部に嵌め入れられ下面に外側に屈曲して係止されたアノード電圧供給用の２本の端子の下部の係止状態を解除するために、この２本の端子を素手で挟めてＣＲＴの穴部から取り外すようにしていた。
ところが、アノード電圧供給用の２本の端子を素手で取り外すときに、充分放電されずに残っていた電圧で感電してしまう虞があるという問題があった。
また、本出願人は、先に実願２００２−００６３７２によって、アノードキャップ取り外し工具を出願している。
【０００３】
【発明が解決しようとする課題】
本発明は、アノード電圧供給用の端子を安全に取り外しことができ、この取り外し作業を容易に行なうことができて、取り外し作業の効率をアップし感電の危険を防ぐことができるアノードキャップ取り外し工具を提供することを目的としている。
【０００４】
【課題を解決するための手段】
本発明は、上記課題を解決するために提案されたものであって、請求項１に記載の発明は、ＣＲＴに吸着されたアノードキャップの内部下側に突出され、ＣＲＴに穿設された穴部に嵌め込まれた２本のアノード電圧供給用の端子をグランドワイヤーまで短絡させて、その後にこのアノードキャップを前記アノード電圧供給用の端子ごと前記ＣＲＴの穴部から取り外すようにしたアノードキャップ取り外し用工具であって、把手部がゴムクリップで覆われ、この把手部から前方に向けて平板状部が延設され、その先端に二股状の差込み部が延設されていて、前記差込み部は、内側縁が先端側に向けて外向きに傾斜して開くテーパーガイド縁に形成された二股状の左右両片と、この左右両片の根元部に設けられ前記テーパーガイド縁の基部に連設されて左右外向きに凹設された端子係入溝を有する端子保持部とで形成されていることを特徴としている。
【０００５】
請求項２に記載の発明は、ＣＲＴに吸着されたアノードキャップの内部下側に突出され、ＣＲＴに穿設された穴部に嵌め込まれた２本のアノード電圧供給用の端子をグランドワイヤーまで短絡させて、その後にこのアノードキャップを前記アノード電圧供給用の端子ごと前記ＣＲＴの穴部から取り外すようにしたアノードキャップ取り外し用工具であって、把手部の先端に二股状の差込み部が延設されていて、前記差込み部は、内側縁が先端側に向けて外向きに傾斜して開くテーパーガイド縁に形成された二股状の左右両片と、この左右両片の根元部に設けられ前記テーパーガイド縁の基部に連設されて左右外向きに凹設された端子係入溝を有する端子保持部とで形成されていることを特徴としている。
【０００６】
請求項３に記載の発明は、前記端子保持部の端子係入溝は、前記端子が入り込んで前記テーパーガイド縁側に抜けないように先端側に向けて若干食い込んだ平面視円弧状溝に形成されていることを特徴としている。
請求項４に記載の発明は、前記端子保持部の端子係入溝の左右中間部分の溝縁から前方向き且つ上向きに突設され左右両端子の間隙に入り込んで両端子を縦向きに保持するための断面略台形状の縦向き保持部が設けられていることを特徴としている。
請求項５に記載の発明は、前記縦向き保持部の先端面が下側から斜め上向きに傾斜する端子ガイド用テーパー面に形成されていることを特徴としている。
【０００７】
【発明の実施の形態】
以下、本発明に係るアノードキャップ取り外し工具の実施の形態について、図を参照しつつ説明する。
図１は本発明の第１実施形態のアノードキャップ取り外し工具でＣＲＴの背面から２本のアノード電圧供給用の端子を取り外すときの状態を示し、（ａ）はそのアノードキャップ取り外し工具をアノードキャップに差し込む前の斜視図、（ｂ）はそのアノードキャップ取り外し工具をアノードキャップに差し込んで２本の端子を掴んだときの斜視図、図２は第１実施形態のアノードキャップ取り外し工具の端子係入溝に２本の端子が入り込んだ状態を示し、（ａ）はそのアノードキャップを含む平面図、（ｂ）はその２本の端子を切断して示す断面図である。
【０００８】
この第１実施形態のアノードキャップ取り外し工具は、図１（ａ）に示すように、把手部１がゴムクリップ２で覆われ、この把手部１から前方に向けて平板状部３が延設され、その先端に二股状の差込み部４が延設されていて、差込み部４は、内側縁が先端側に向けて外向きに傾斜して開くテーパーガイド縁５ａ、５ａに形成された二股状の左右両片５、５と、この左右両片５、５の根元部に設けられテーパーガイド縁５ａ、５ａの基部に連設されて左右外向きに凹設された端子係入溝６ａ、６ａを有する端子保持部６とで形成されている。
【０００９】
そして、図１（ａ）に示すように、アノードキャップ取り外し工具のゴムクリップ２で覆われた把手部１を掴んで、図１（ｂ）に示すように、ＣＲＴ１０の裏面のアノードキャップ７の下側に二股状の左右両片５、５を差し入れてアノードキャップ７を浮かし、２本のアノード電圧供給用の端子８、８に左右両片５、５を接触させてアースされ、更に左右両片５、５を差し入れて、この左右両片のテーパーガイド縁５ａ、５ａでガイドして端子８、８の間隔を狭めながら、図２（ａ）（ｂ）に示すように、端子係入溝６ａ、６ａに端子８、８を入れ込んで、ＣＲＴ１０の裏面の円形穴部（図示略）から端子８、８を引き抜いて取り外すようにする。
【００１０】
したがって、この第１実施形態によれば、アノード電圧供給用の端子８、８をＣＲＴ１０の裏面の円形穴部から安全に取り外しことができ、この取り外し作業を容易に行なうことができて、取り外し作業の効率をアップし感電の危険を防ぐことができる。
【００１１】
図３は第２実施形態のアノードキャップ取り外し工具の平面図である。
この第２実施形態のアノードキャップ取り外し工具は、図３に示すように、端子保持部６の端子係入溝６ａ，６ａは、アノードキャップ７の２本のアノード電圧供給用の端子８、８が入り込んでテーパーガイド縁５ａ、５ａ側に抜けないように先端側に向けて若干食い込んだ平面視円弧状溝６ｂ、６ｂに形成されている。
したがって、この第２実施形態によれば、端子保持溝６ａの平面視円弧形状溝６ｂ、６ｂに端子８、８が入り込んでテーパーガイド縁５ａ、５ａ側に抜けないので、端子８、８の間隔を狭めた状態を保持できて、安全である。
【００１２】
図４は第３実施形態のアノードキャップ取り外し工具を示し、（ａ）はその拡大平面図、（ｂ）はその部分拡大側面図である。
この第３実施形態のアノードキャップ取り外し工具は、図４（ａ）（ｂ）に示すように、端子保持部６の端子係入溝６ａ、６ａの左右中間部分の溝縁６ｃから前方向き且つ上向きに突設されアノードキャップのアノード電圧供給用の左右両端子８、８の間隙に入り込んで両端子８、８を縦向きに保持するための断面略台形状の縦向き保持部９が設けられている。更に、縦向き保持部９の先端面が下側から斜め上向きに傾斜する端子ガイド用テーパー面９ａに形成されて、上端面９ｂの後側に上向き突起９ｃが突設されている。
【００１３】
したがって、この第３実施形態によれば、断面略台形状の縦向き保持部９で両端子８、８を縦向きに保持できて、端子８、８が倒れたり傾いたりすることなく端子８、８の保持状態を安定化することができる。
【００１４】
【発明の効果】
以上説明したように、請求項１に記載の発明は、ＣＲＴに吸着されたアノードキャップの内部下側に突出され、ＣＲＴに穿設された穴部に嵌め込まれた２本のアノード電圧供給用の端子をグランドワイヤーまで短絡させて、その後にこのアノードキャップをアノード電圧供給用の端子ごとＣＲＴの穴部から取り外すようにしたアノードキャップ取り外し用工具であって、把手部がゴムクリップで覆われ、この把手部から前方に向けて平板状部が延設され、その先端に二股状の差込み部が延設されていて、差込み部は、内側縁が先端側に向けて外向きに傾斜して開くテーパーガイド縁に形成された二股状の左右両片と、この左右両片の根元部に設けられテーパーガイド縁の基部に連設されて左右外向きに凹設された端子係入溝を有する端子保持部とで形成されているので、以下に述べる効果を奏する。
【００１５】
即ち、アノード電圧供給用の端子をＣＲＴの裏面の円形穴部から安全に取り外しことができ、この取り外し作業を容易に行なうことができて、取り外し作業の効率をアップし感電の危険を防ぐことができる。
【００１６】
請求項２に記載の発明は、ＣＲＴに吸着されたアノードキャップの内部下側に突出され、ＣＲＴに穿設された穴部に嵌め込まれた２本のアノード電圧供給用の端子をグランドワイヤーまで短絡させて、その後にこのアノードキャップをアノード電圧供給用の端子ごとＣＲＴの穴部から取り外すようにしたアノードキャップ取り外し用工具であって、把手部の先端に二股状の差込み部が延設されていて、差込み部は、内側縁が先端側に向けて外向きに傾斜して開くテーパーガイド縁に形成された二股状の左右両片と、この左右両片の根元部に設けられテーパーガイド縁の基部に連設されて左右外向きに凹設された端子係入溝を有する端子保持部とで形成されているので、以下に述べる効果を奏する。
【００１７】
即ち、アノード電圧供給用の端子をＣＲＴの裏面の円形穴部から安全に取り外しことができ、この取り外し作業を容易に行なうことができて、取り外し作業の効率をアップし感電の危険を防ぐことができる。
【００１８】
請求項３に記載の発明は、端子保持部の端子係入溝は、端子が入り込んでテーパーガイド縁側に抜けないように先端側に向けて若干食い込んだ平面視円弧状溝に形成されているので、端子保持溝の平面視円弧形状溝に端子が入り込んでテーパーガイド縁側に抜けないので、端子の間隔を狭めた状態を保持できて、安全である。
【００１９】
請求項４に記載の発明は、端子保持部の端子係入溝の左右中間部分の溝縁から前方向き且つ上向きに突設され左右両端子の間隙に入り込んで両端子を縦向きに保持するための断面略台形状の縦向き保持部が設けられているので、断面略台形状の縦向き保持部で両端子を縦向きに保持できて、端子が倒れたり傾いたりすることなく端子の保持状態を安定化することができる。
【００２０】
請求項５に記載の発明は、縦向き保持部の先端面が下側から斜め上向きに傾斜する端子ガイド用テーパー面に形成されているので、両端子をこの端子ガイド用テーパー面に沿ってガイドできて、両端子の間に縦向き保持部を無理なくスムーズに入り込ませることができる。
【図面の簡単な説明】
【図１】第１実施形態のアノードキャップ取り外し工具でＣＲＴの背面から２本のアノード電圧供給用の端子を取り外すときの状態を示し、（ａ）はそのアノードキャップ取り外し工具をアノードキャップに差し込む前の斜視図、（ｂ）はそのアノードキャップ取り外し工具をアノードキャップに差し込んで２本の端子を掴んだときの斜視図である。
【図２】第１実施形態のアノードキャップ取り外し工具の端子係入溝に２本の端子が入り込んだ状態を示し、（ａ）はそのアノードキャップを含む平面図、（ｂ）はその２本の端子を切断して示す断面図である。
【図３】第２実施形態のアノードキャップ取り外し工具の平面図である。
【図４】第３実施形態のアノードキャップ取り外し工具を示し、（ａ）はその拡大平面図、（ｂ）はその部分拡大側面図である。
【符号の説明】
１                把手部
２                ゴムクリップ
３                平板状部
４                二股状の差込み部
５                二股状の左右両片
５ａ              テーパーガイド縁
６                端子保持部
６ａ              端子係入溝
６ｂ              平面視円弧状溝
６ｃ              溝縁
７                アノードキャップ
８                アノード電圧供給用の端子
９                保持部
９ａ              端子ガイド用テーパー面
９ｂ              上端面
９ｃ              上向き突起
１０              ＣＲＴ
【図１】
2004265810.tif 000003
【図２】
2004265810.tif 000004
【図３】
2004265810.tif 000005
【図４】
2004265810.tif 000006